(57)【要約】【課題】Ｈ形鋼からなる天井梁（天井構造材）に対する天井母屋部材の固定作業と、天井母屋部材による天井材の支持作業を、労力を削減して簡単に行うことができる建物の天井構造を提供する。【解決手段】Ｈ形鋼梁４に、天井母屋部材５が母屋固定装置６を介して固定され、天井母屋部材の下面に、水平方向に敷設された複数の天井材２の端部が天井支持装置７を介して支持されている。母屋固定装置は、Ｈ形鋼梁の下部フランジ１０をフランジ上面側及びフランジ下面側から挟持することでＨ形鋼梁に天井母屋部材を固定する挟持部を備えている。天井支持装置は、水平方向に隣接している２枚の天井材の端部同士の上面が当接する押え部材３１と、天井母屋部材に着脱自在に連結されて２枚の前記天井材の端部同士の下面を受ける保持部材３２，３３と、を備えている。【選択図】図３
2018016942.tif 000002
【特許請求の範囲】
【請求項１】
ウェブが上下方向に延在し、前記ウェブの上部に上部フランジ、前記ウェブの下部に下部フランジが形成されて水平方向に延在するＨ形鋼梁に、天井母屋部材が母屋固定装置を介して固定され、前記天井母屋部材の下面に、水平方向に敷設された複数の天井材の端部が天井支持装置を介して支持されてなる建物の天井構造であって、
前記母屋固定装置は、前記下部フランジをフランジ上面側及びフランジ下面側から挟持することで前記Ｈ形鋼梁に前記天井母屋部材を固定する挟持部を備えているとともに、
前記天井支持装置は、水平方向に隣接している２枚の天井材の端部同士の上面が当接する押え部材と、前記天井母屋部材に着脱自在に連結されて前記２枚の前記天井材の前記端部同士の下面を受ける保持部材と、を備えていることを特徴とする建物の天井構造。
【請求項２】
前記母屋固定装置の前記挟持部は、
前記天井母屋部材に固定されて前記下部フランジの前記フランジ下面に当接する第１挟持部材と、
前記第１挟持部材に連結され、前記下部フランジの前記ウェブを挟んで一方側のフランジ上面及び他方側のフランジ上面に対面する辺部を備えている一対の第２挟持部材と、
前記一対の第２挟持部材のそれぞれの前記辺部に上部から貫通してねじ込まれ、ボルト頭部が前記一方側のフランジ上面及び他方側のフランジ上面を押圧している挟持ボルトと、を備えていることを特徴とする請求項１記載の建物の天井構造。
【請求項３】
前記天井支持装置の前記保持部材は、
前記天井母屋部材の前記下面に固定され、互いに平行に下方に延在している一対の連結片を設けた上部保持部材と、
前記天井材の前記端部の前記下面を受けながら前記一対の連結片に着脱自在に連結する下部保持部材と、を備え、
前記上部保持部材は、前記一対の連結片の互いに対向する面に係合凹凸部が形成されており、
前記下部保持部材は、前記天井材の前記端部の前記下面を受ける受け板部から平行に上方に立ち上がっている一対の弾性変形連結片が、前記上部保持部材の前記一対の連結片の間に弾性変形した状態で挿入され、弾性復帰することで前記係合凹凸部に係合することを特徴とする請求項１または２記載の建物の天井構造。
【請求項４】
ウェブが上下方向に延在し、前記ウェブの上部に上部フランジ、前記ウェブの下部に下部フランジが形成されて水平方向に延在するＨ形鋼梁に、母屋固定装置を使用して天井母屋部材を固定し、前記天井母屋部材の下面に、水平方向に敷設された複数の天井材の端部を、天井支持装置を使用して支持する建物の天井施工方法であって、
前記母屋固定装置の挟持部で前記下部フランジをフランジ上面側及びフランジ下面側から挟持することで、前記Ｈ形鋼梁に前記天井母屋部材を固定する工程を行うとともに、
前記天井母屋部材の下面に固定されている前記天井支持装置の押え部材に、水平方向に隣接している２枚の天井材の端部同士の上面を当接させ、前記天井母屋部材の下面に固定される保持部材で前記２枚の前記天井材の前記端部同士の下面を受ける工程を行う、ことを特徴とする建物の天井施工方法。
【請求項５】
前記母屋固定装置を使用して前記Ｈ形鋼梁に前記天井母屋部材を固定する工程では、
前記天井母屋部材に固定した第１挟持部材を前記下部フランジの前記フランジ下面に当接し、
前記第１挟持部材に連結した一対の第２挟持部材の辺部を、前記下部フランジの前記ウェブを挟んで一方側のフランジ上面及び他方側のフランジ上面に対面させ、
前記一対の第２挟持部材のそれぞれの前記辺部に上部から貫通してねじ込んだ挟持ボルトのボルト頭部で、前記一方側のフランジ上面及び他方側のフランジ上面に押圧することを特徴とする請求項４記載の建物の天井施工方法。
【請求項６】
前記挟持ボルトのボルト頭部が前記一方側のフランジ上面及び前記他方側のフランジ上面を押圧する前に、前記一対の第２挟持部材の前記辺部を、前記下部フランジの前記一方側のフランジ上面及び前記他方側のフランジ上面に係合させておくことで、前記天井母屋部材を前記Ｈ形鋼梁に仮固定しておくことを特徴とする請求項５記載の建物の天井施工方法。
【請求項７】
前記天井支持装置を使用して前記天井母屋部材の下面に、水平方向に隣接している前記２枚の前記天井材の前記端部同士を支持する工程では、
前記天井支持装置として上部保持部材及び下部保持部材を使用し、
前記上部保持部材は、前記天井母屋部材の前記下面に固定されて互いに平行に下方に延在し、互いに対向する面に係合凹凸部が形成されている一対の連結片を設けており、
前記下部保持部材は、受け板部から平行に上方に立ち上がる一対の弾性変形連結片を備えており、
前記下部保持部材の前記一対の弾性変形連結片を、前記上部保持部材の前記一対の連結片の間に弾性変形した状態で挿入し、弾性復帰させることで前記係合凹凸部に係合することを特徴とする請求項４から請求項６の何れか１項に記載の建物の天井施工方法。
【発明の詳細な説明】
【技術分野】
【０００１】
本発明は、建物の天井構造及びその天井施工方法に関する。
【背景技術】
【０００２】
オフィスビル、集合住宅、学校、病院、生産施設、体育館、プール、空港ターミナルビル、劇場、シネコン等の建物は、高さが６メートルを超えた天井部を備えている。
これらの建物の天井部は、天井材を屋根構造材から吊り部材で吊って設置する吊り天井構造が多用されている。
天井部の高さが６メートルを超える吊り天井は、建築基準法施行令では特定天井として定義されている。近年、建築基準法施行令の一部が改正され、特定天井及び特定天井の構造耐力上安全な構造方法が定められた（非特許文献１）。その内容は、震災時の天井板の脱落により重大な危険が生じる可能性があるとして、構造耐力のさらなる強化などを規定したものである。
【０００３】
屋根構造部材と天井材との間の天井裏は、空調設備を設置するために広い空間を必要とするが、上述した吊り天井構造は、天井裏に多数の吊り部材が連結しているので、広い天井裏空間を確保することが難しい。
一方、天井材を天井梁（天井構造材）に取り付けることで、吊り部材が存在しない広い天井裏空間を確保し、空調設備の設置空間を設けることができる天井構造がある（例えば、特許文献１）。
特許文献１の天井構造は、Ｃ型鋼からなる天井梁（天井構造材）に直交した状態で下地バーを保持し、且つ天井構造材に固定されている接続部材と、下地バーの下部に固定され、天井材の端部を支持しているボード支持材と、を備えた構造である。
【先行技術文献】
【非特許文献】
【０００４】
【非特許文献１】国土交通省  建築基準法施行令の一部を改正する政令について（平成２６年４月施行）３．建築物の天井脱落対策関連告示（１）特定天井及び特定天井の構造耐力上安全な構造方法を定める件（平成２５年国土交通省告示第７７１号）［平成26年9月10日検索］インターネット〈URL：http://www.mlit.go.jp/common/001009484.pdf〉
【特許文献】
【０００５】
【特許文献１】特開２０１６−８４７９号公報
【発明の概要】
【発明が解決しようとする課題】
【０００６】
特許文献１の天井構造は、接続部材を下地バー及びＣ型鋼からなる天井梁に固定する固定手段として、全て固定部材（ビス）を使用しなければならず、接続部材の固定作業に多くの時間と労力が必要となる。また、天井材の端部を仮支持した状態で、ボード支持材を下地バーの下部にビスで固定しなければならないので、ボード支持材の固定作業にも多くの時間と労力が必要となる。
そこで、本発明は、Ｈ形鋼からなる天井梁（天井構造材）に対する天井母屋部材の固定作業と、天井母屋部材による天井材の支持作業を、労力を削減して簡単に行うことができるとともに、天井裏に空調設備のための広い空間を設けることができる建物の天井構造及びその天井施工方法を提供することを目的としている。
【課題を解決するための手段】
【０００７】
上記目的を達成するために、本発明の一態様に係る建物の天井構造は、ウェブが上下方向に延在し、ウェブの上部に上部フランジ、ウェブの下部に下部フランジが形成されて水平方向に延在するＨ形鋼梁に、天井母屋部材が母屋固定装置を介して固定され、天井母屋部材の下面に、水平方向に敷設された複数の天井材の端部が天井支持装置を介して支持されてなる建物の天井構造であって、母屋固定装置は、下部フランジをフランジ上面側及びフランジ下面側から挟持することでＨ形鋼梁に前記天井母屋部材を固定する挟持部を備えているとともに、天井支持装置は、水平方向に隣接している２枚の天井材の端部同士の上面が当接する押え部材と、天井母屋部材に着脱自在に連結されて２枚の天井材の端部同士の下面を受ける保持部材と、を備えている。
【０００８】
また、本発明の一態様に係る建物の天井施工方法は、ウェブが上下方向に延在し、ウェブの上部に上部フランジ、ウェブの下部に下部フランジが形成されて水平方向に延在するＨ形鋼梁に、母屋固定装置を使用して天井母屋部材を固定し、天井母屋部材の下面に、水平方向に敷設された複数の天井材の端部を、天井支持装置を使用して支持する建物の天井施工方法であって、母屋固定装置の挟持部で下部フランジをフランジ上面側及びフランジ下面側から挟持することで、Ｈ形鋼梁に前記天井母屋部材を固定する工程を行うとともに、天井母屋部材の下面に固定されている天井支持装置の押え部材に、水平方向に隣接している２枚の天井材の端部同士の上面を当接させ、天井母屋部材の下面に固定される保持部材で前記２枚の前記天井材の前記端部同士の下面を受ける工程を行うようにした。
【発明の効果】
【０００９】
本発明に係る建物の天井構造及びその天井施工方法によれば、Ｈ形鋼からなる天井梁（Ｈ形鋼梁）に対する天井母屋部材の固定作業と、天井母屋部材による天井材の支持作業を、労力を削減して簡単に行うことができるとともに、天井裏に空調設備のための広い空間を設けることができる。
【図面の簡単な説明】
【００１０】
【図１】構造Ｈ形鋼梁が天井母屋部材を固定し、天井母屋部材が天井材を支持している本発明に係る第１実施形態の天井構造を備えた建物の縦断面図である。
【図２】本発明に係る第１実施形態の建物の天井構造を天井裏側から示した平面図である。
【図３】本発明に係る第１実施形態の建物の天井構造を天井裏側から示した斜視図である。
【図４】本発明に係る第１実施形態で使用されている母屋固定部材を構成する部材を示す斜視図である。
【図５】図２のＡ−Ａ線矢視図である。
【図６】図５のＢ−Ｂ線矢視図である。
【図７】図２のＣ−Ｃ線矢視図である。
【図８】図７のＤ−Ｄ線矢視図である。
【図９】本発明に係る第１実施形態の建物の天井施工方法において構造Ｈ形鋼梁が天井母屋部材を固定する手順を示す図である。
【図１０】本発明に係る第１実施形態の建物の天井施工方法において天井母屋部材が天井材を支持する手順を示す図である。
【図１１】本発明に係る天井支持装置の第２実施形態の下部保持部材を構成する分割体を示す図である。
【図１２】図１１で示した分割体の断面形状を示すものである。
【図１３】２つの分割体を使用して本発明に係る第２実施形態の天井支持装置の下部保持部材を形成する手順を示す図である。
【発明を実施するための形態】
【００１１】
次に、図面を参照して、本発明に係る第１及び第２実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
また、以下に示す第１及び第２実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【００１２】
［第１実施形態の天井構造］
以下、本発明に係る第１実施形態の天井構造について図面を参照しながら説明する。各図において、上下方向をＺで示し、上下方向Ｚに直交する水平方向をＹの矢印で示し、水平方向Ｙに直交する水平方向をＸで示している。
図１から図１０は、第１実施形態の天井構造を示すものである。
図１に示すように、建物１は、体育館や室内プール等の公共施設、空港ターミナルビル、劇場、シネコンなどの鉄骨造りの構造物であり、この建物１には、床面（不図示）から６メートルを超えた高さの位置に、複数枚の天井材２が水平方向Ｘ，Ｙを含む水平面内に敷設されている。
【００１３】
建物１の構造柱３には、水平方向Ｙに延在した天井梁（天井構造材）４の長手方向両端部が固定されており、この天井梁４は、図２に示すように、水平方向Ｘに所定のスパンをあけて複数本平行に配置されている。
天井梁４は、図３に示すように、ウェブ８が上下方向Ｚに延在し、ウェブ８の上部に上部フランジ９が水平方向Ｘに延在し、ウェブ８の下部に下部フランジ１０が水平方向Ｘに延在しているＨ形鋼である（以下、Ｈ形鋼梁４と称する）。
複数のＨ形鋼梁４の下部には、図２に示すように、水平方向Ｘに延在した天井母屋部材５が、水平方向Ｙに所定のスパンをあけて複数本平行に配置されており、これら複数本の天井母屋部材５は、母屋固定装置６を介してＨ形鋼梁４に固定されている。
【００１４】
天井母屋部材５は、ウェブ１１が上下方向Ｚに延在し、ウェブ１１を挟んで上下端部に上部フランジ１２及び下部フランジ１３が水平方向Ｙに延在し、上部フランジ１２及び下部フランジ１３の先端部に上部リップ１４及び下部リップ１５が上下方向Ｚに延在したＣ型鋼（リップ溝形鋼）である。
また、図３に示すように、複数本の天井母屋部材５の所定位置の下部には、天井支持装置７が複数取付けられており、これら天井支持装置７に端部が支持された複数枚の天井材２が、水平方向Ｘ，Ｙを含む水平面内に敷設されている。
【００１５】
［母屋固定装置］
母屋固定装置６は、図４に示すように、長方形状の母屋連結板１６と、横断面コ字形状の第１挟持部材１７と、等辺アングルからなる一対の第２挟持部材１８，１８と、を備えている。
母屋連結板１６の短尺方向の一方側には、長尺方向に所定間隔を開けて複数のボルト貫通孔１６ａが形成されている。
第１挟持部材１７は、長方形状の一対の対向板１９，１９と、これら一対の対向板１９，１９の短尺方向縁部で一体化された挟持板２０とで構成されており、一対の対向板１９，１９に、長軸が短尺方向に延在する真円形状のボルト貫通孔１９ａが形成されている。
【００１６】
この第１挟持部材１７は、母屋連結板１６の表面の短尺方向の他端側に面一で固定されている。
一対の第２挟持部材１８，１８は、一方の辺部２１にボルト貫通孔２１ａ（図５参照）が形成されており、このボルト貫通孔２１ａに対応する一方の辺部２１の外周にナット２２が溶接で固定されている。また、他方の辺部２３には真円形状のボルト貫通孔２３ａが形成されている。
【００１７】
図５及び図６は、Ｈ形鋼梁４が母屋固定装置６により天井母屋部材５を固定している構造を示している。これらの図によると、天井母屋部材５のウェブ１１を貫通した連結ボルト２５が、母屋連結板１６のボルト貫通孔１６ａを通過してナット２６に螺合することで、母屋連結板１６が天井母屋部材５に固定されている。ここで、図６に示すように、母屋連結板１６は、２本の天井母屋部材５を水平方向Ｘに延在させた状態で互いの端部に固定されている。
そして、第１挟持部材１７の一対の対向板１９，１９に、一対の第２挟持部材１８，１８の他方の辺部２３が対向し、第１挟持部材１７の挟持板２０と一対の第２挟持部材１８，１８の一方の辺部２１との間に、Ｈ形鋼梁４の下部フランジ１０（図６で示すように、左側下部フランジ１０ａ，右側下部フランジ１０ｂ）を配置した状態で、互いに対応したボルト貫通孔２２ａ及びボルト貫通孔１９ａに連結ボルト２７を貫通してナット２８を螺合する。
【００１８】
ここで、図６に示すように、第１挟持部材１７の挟持板２０の上面と第２挟持部材１８の一方の辺部２１の下面との間の距離Ｄは、Ｈ形鋼梁４の左側下部フランジ１０ａ，右側下部フランジ１０ｂの厚さより僅かに大きな値に設定されており、一対の第２挟持部材１８，１８のナット２２に螺合した一対の挟持ボルト２９，２９の頭部を左側下部フランジ１０ａ，右側下部フランジ１０ｂ側に移動することで、第１挟持部材１７の挟持板２０と、一対の挟持ボルト２９，２９の頭部との間で、Ｈ形鋼梁４の左側下部フランジ１０ａ，右側下部フランジ１０ｂが挟持される。このように、天井母屋部材５は、母屋固定装置６を使用してＨ形鋼梁４に固定されている。
【００１９】
［天井支持装置］
天井支持装置７は、図７及び図８に示すように、天井母屋部材５のウェブ１１に連結された連結板３０と、天井母屋部材５の下部フランジ１３及び連結板３０に固定され、天井材２の上部を押さえ込む押え部材３１と、押え部材３１とともに下部フランジ１３及び連結板３０に固定された上部保持部材３２と、上部保持部材３２に着脱自在に連結し天井材２を下側から受けて支持する下部保持部材３３と、下部保持部材３３の下側の面を覆っている化粧部材３４と、を備えている。
【００２０】
連結板３０は、図８に示すように、金属平板をＬ字状に折曲し、母屋連結部３０ａと支持部材連結部３０ｂとを備えた部材であり、母屋連結部３０ａは、天井母屋部材５のウェブ１１の外面に当接して固定ねじ３５を介して固定され、支持部材連結部３０ｂは下部フランジ１３と面一に配置される。
押え部材３１は、図７に示すように、長尺な金属平板を横断面コ字状に折曲した部材であり、長尺な固定部３１ａと、この固定部３１ａの短尺方向の両縁部から互いに対向する方向に延在している一対の押え部３１ｂ，３１ｂとを備え、固定部３１ａは、天井母屋部材５の下部フランジ１３及び連結板３０の支持部材連結部３０ｂに当接して固定ねじ３６を介して固定される。
【００２１】
上部保持部材３２は、アルミニウム合金の押出成形で形成した部材であり、図７に示すように、長方形板状の固定部３２ａと、固定部３１ａの短尺方向中央部から突出している中空形状の連結台座３２ｂと、短尺方向に平行に離間して連結台座３２ｂから立ち上がっている一対の連結片３２ｃ，３２ｃと、これら一対の連結片３２ｃ，３２ｃの互いに対向する面に形成された係合凹凸部３２ｄと、を備えている。この上部保持部材３２は、固定部３１ａを押え部材３１の固定部３１ａに当接し、固定部３１ａとともに固定ねじ３６で固定される。なお、連結台座３２ｂの下部に作業孔３２ｅが形成されており、この作業孔３２ｅに固定ねじ３６、ドライバーを通過させることで固定ねじ３６の固定作業が行われる。
【００２２】
下部保持部材３３も、アルミニウム合金の押出成形で形成した部材であり、図７に示すように、長方形状の受け板部３３ａと、受け板部３３ａの短尺方向中央部から短尺方向に平行に離間して受け板部３３ａから立ち上がっている一対の弾性変形連結片３３ｂ，３３ｂと、を備えている。一対の弾性変形連結片３３ｂ，３３ｂは、上部保持部材３２の一対の連結片３２ｃ，３２ｃの間に弾性変形した状態で入り込み、一対の連結片３２ｃ，３２ｃの係合凹凸部３２ｄに嵌まり込む凹凸形状を有している。
化粧部材３４は、下部保持部材３３の受け板部３３ａの下面に着脱自在に重なり、化粧を施した部材である。
そして、水平方向Ｘ，Ｙを含む水平面内に隣接して敷設された２枚の天井材２は、図７に示すように、天井支持装置７の下部保持部材３３の受け板部３３ａが、天井材２の水平方向Ｘの端部側を下側から受け、天井支持装置７の押え部材３１の押え部３１ｂが、天井材２の端部側を上側から押え付けることで、天井支持装置７を介して天井母屋部材５に支持されている。
【００２３】
［第１実施形態の天井構造の施工方法］
次に、Ｈ形鋼梁４に天井母屋部材５を固定する施工手順について図９（ａ）〜（ｃ）を参照して説明する。
先ず、図９（ａ）に示すように、天井母屋部材５のウェブ１１に、母屋固定装置６を構成する母屋連結板１６及び第１挟持部材１７を固定する。
次いで、天井母屋部材５をＨ形鋼梁４側に移動していき、第１挟持部材１７の挟持板２０をＨ形鋼梁４の下部フランジ１０の下面に当接させる。
【００２４】
次いで、図９（ｂ）に示すように、一対の第２挟持部材１８，１８の一方の辺部２１，２１をＨ形鋼梁４の左側下部フランジ１０ａ，右側下部フランジ１０ｂの上部に当接した状態で、一対の第２挟持部材１８，１８の他方の辺部２３を第１挟持部材１７の一対の対向板１９，１９に固定する。この際、第１挟持部材１７の挟持板２０の上面と第２挟持部材１８の一方の辺部２１の下面との間の距離Ｄは、Ｈ形鋼梁４の左側下部フランジ１０ａ，右側下部フランジ１０ｂの厚さより僅かに大きな値に設定されている。
これにより、Ｈ形鋼梁４の左側下部フランジ１０ａ，右側下部フランジ１０ｂに、母屋固定装置６の一対の第２挟持部材１８，１８の一方の辺部２１，２１が係合した状態で、天井母屋部材５がＨ形鋼梁４に仮固定される。
【００２５】
次いで、図９（ｃ）に示すように、母屋固定装置６のナット２２に螺合している一対の挟持ボルト２９，２９を回転し、その頭部を左側下部フランジ１０ａ，右側下部フランジ１０ｂ側に移動させていく。これにより、第１挟持部材１７の挟持板２０と、一対の挟持ボルト２９，２９の頭部と間で、Ｈ形鋼梁４の左側下部フランジ１０ａ，右側下部フランジ１０ｂを挟持する。
このように、天井母屋部材５は、母屋固定装置６を介してＨ形鋼梁４に固定される。
【００２６】
次に、天井母屋部材５の下部に天井材２を敷設する施工手順について図７、図８及び図１０を参照して説明する。
先ず、図８に示すように、天井母屋部材５のウェブ１１に連結板３０を連結する。
また、図１０示すように、連結板３０及び天井母屋部材５の下部フランジ１３に、押え部材３１の固定部３１ａ及び上部保持部材３２の固定部３２ａを重ねて固定する。
次いで、２枚の天井材２の互いに対向する水平方向Ｘ方向の端部の上部を押し上げて、押え部材３１の一対の押え部３１ｂに当接させておく。
次いで、受け板部３３ａに化粧部材３４が装着されている下部保持部材３３の１対の弾性変形連結片３３ｂ，３３ｂを、上部保持部材３２の一対の連結片３２ｃに向けて係合させていく。
【００２７】
下部保持部材３３の１対の弾性変形連結片３３ｂ，３３ｂは、上部保持部材３２の一対の連結片３２ｃ，３２ｃの間に弾性変形した状態（図１０の一点鎖線で示す状態）で入り込み、一対の連結片３２ｃ，３２ｃの係合凹凸部３２ｄに弾性復帰した状態で嵌まり込む。
これにより、図７に示すように、２枚の天井材２の水平方向Ｘの両端部は、下部保持部材３３の受け板部３３ａが下側から受け、押え部材３１の押え部３１ｂが上側に押え付けることで、天井支持装置７を介して天井母屋部材５に支持される。他の天井材２も、２枚の天井材２の水平方向Ｘ方向の両端部が天井支持装置７を介して天井母屋部材５に支持されることで、水平方向Ｘ，Ｙを含む水平面内に敷設されている。
【００２８】
［第１実施形態の天井構造及び施工方法の効果］
第１実施形態の天井構造及び施工方法では、Ｈ形鋼梁４に天井母屋部材５を固定している途中で、Ｈ形鋼梁４の左側下部フランジ１０ａ，右側下部フランジ１０ｂに、母屋固定装置６の一対の第２挟持部材１８，１８の一方の辺部２１，２１を係合することで、天井母屋部材５をＨ形鋼梁４４に仮固定することができるので、天井母屋部材５の固定作業の労力を低減することができる。
また、天井母屋部材５をＨ形鋼梁４に仮固定している母屋固定装置６の一対の挟持ボルト２９を回転させるだけで、母屋固定装置６がＨ形鋼梁４の左側下部フランジ１０ａ，１０ｂを挟持してＨ形鋼梁４への天井母屋部材５の固定作業が完了することができるので、天井母屋部材５の固定作業も効率よく行うことができる。
【００２９】
また、天井母屋部材５の下部に天井材２を敷設する際には、天井支持装置７の天井母屋部材５の下面に固定されている押え部材３１に、隣接する２枚の天井材２の水平方向Ｘの両端部を当接した状態で、押え部材３１とともに天井母屋部材５に固定されている上部保持部材３２に下方から下部保持部材３３を係合させることで、隣接する２枚の天井材２の水平方向Ｘの両端部を簡単に支持することができる。
そして、天井支持装置７の上部保持部材３２及び下部保持部材３３は、一対の弾性変形連結片３３ｂ，３３ｂが、一対の連結片３２ｃ，３２ｃの間に弾性変形しながら入り込んでいき係合凹凸部３２ｄに嵌まり込んでワンタッチで係合するので、天井支持装置７の装着作業を簡単に行うことができる。
さらに、第１実施形態の天井構造は、Ｈ形鋼梁４に母屋固定装置６を介して天井母屋部材５が固定され、天井母屋部材５に天井支持装置７を介して複数の天井材２を水平に敷設した構造とされているので、図１で示すように、天井裏に広い空間Ｓ１，Ｓ２を確保することができ、空調設備の設置空間を容易に設けることができる。
【００３０】
［天井支持装置を構成する第２実施形態の下部保持部材］
次に、図１１から図１３は、天井支持装置７（図７，図１０参照）の第２実施形態の下部保持部材を構成する分割体４０を示すものである。
図１２（ａ）は、図１１のＥ−Ｅ矢視断面を示し、図１２（ｂ）は、図１１のＦ−Ｆ矢視断面を示すものである。
分割体４０は、アルミニウム合金の押出成形で形成した部材であり、第１受け板部４０ａと、一対の弾性変形連結片４０ｂ，４０ｂと、第２受け板部４０ｃと、を備えている。
【００３１】
すなわち、長方形状の板材の長尺方向を２等分し、且つ短尺方向を２等分して４つの平面領域に分けた際の一つの平面領域を切り欠くことで、切欠き部４０ｄが形成されているとともに、切欠き部４０ｄの短尺方向に隣接して第１受け板部４０ａが形成されている。
また、一対の弾性変形連結片４０ｂ，４０ｂは、切欠き部４０ｄが形成されていない長尺方向の一端側から切欠き部４０ｄに向かって形成されているとともに、一対の弾性変形連結片４０ｂ，４０ｂの短尺方向に隣接して第２受け板部４０ｃが形成されている。
【００３２】
第２実施形態の下部保持部材４１は、図１３（ａ）、（ｂ）に示すように、同一形状の２つの分割体４０Ａ，４０Ｂで構成されている。
そして、２つの分割体４０Ａ，４０Ｂを、一方の分割体４０Ａの一対の弾性変形連結片４０ｂ，４０ｂの短尺方向に、他方の分割体４０Ｂの第１受け板部４０ａが隣接し、他方の分割体４０Ｂの一対の弾性変形連結片４０ｂ，４０ｂの短尺方向に、一方の他方の分割体４０Ｂの第１受け板部４０ａが隣接し、互いの一対の弾性変形連結片４０ｂ，４０ｂが一列に延在するように配置する。
【００３３】
そして、図１０で示したように、２つの分割体４０Ａ，４０Ｂからなる下部保持部材４１の１対の弾性変形連結片４０ｂ，４０ｂを、上部保持部材３２の一対の連結片３２ｃに向けて係合させていき、１対の弾性変形連結片４０ｂ，４０ｂが、上部保持部材３２の一対の連結片３２ｃ，３２ｃの間に弾性変形した状態で挿入され、一対の連結片３２ｃ，３２ｃの係合凹凸部３２ｄに弾性復帰した状態で嵌まり込む。
第２実施形態の分割体４０Ａ，４０Ｂからなる下部保持部材４１を使用することで、隣接する２枚の天井材２の水平方向Ｘの両端部の下部を第１受け板部４０ａ，第２受け板部４０ｃとで確実に受けた状態で支持することができる。
また、第２実施形態の分割体４０Ａ，４０Ｂの一方だけを、上部保持部材３２の一対の連結片３２ｃ，３２ｃに係合するだけで、隣接する２枚の天井材２の水平方向Ｘの両端部を仮に支持することができるので、天井支持装置の装着作業も効率良く行うことができる。
【符号の説明】
【００３４】
１  建物
２  天井材
３  構造柱
４  Ｈ形鋼梁
５  天井母屋部材
６  母屋固定装置
７  天井支持装置
８  ウェブ
９  上部フランジ
１０  下部フランジ
１０ａ  左側下部フランジ
１０ｂ  右側下部フランジ
１１  ウェブ
１２  上部フランジ
１３  下部フランジ
１４  上部リップ
１５  下部リップ
１６  母屋連結板
１６ａ  ボルト貫通孔
１７  第１挟持部材
１８  第２挟持部材
１９  対向板
１９ａ  ボルト貫通孔
２０  挟持板
２１  一方の辺部
２１ａ  ボルト貫通孔
２２  ナット
２３  他方の辺部
２３ａ  ボルト貫通孔
２５  連結ボルト
２６  ナット
２７  連結ボルト
２８  ナット
２９  挟持ボルト
３０  連結板
３０ａ  母屋連結部
３０ｂ  支持部材連結部
３１  押え部材
３１ａ  固定部
３１ｂ  押え部
３２  上部保持部材
３２ａ  固定部
３２ｂ  連結台座
３２ｃ  連結片
３２ｄ  係合凹凸部
３２ｅ  作業孔
３３  下部保持部材
３３ａ  受け板部
３３ｂ  弾性変形連結片
３４  化粧部材
３５，３６  固定ねじ
４０Ａ，４０Ｂ  分割体
４０ａ  第１受け板部
４０ｂ  弾性変形連結片
４０ｃ  第２受け板部
【図１】
2018016942.tif 000003
【図２】
2018016942.tif 000004
【図３】
2018016942.tif 000005
【図４】
2018016942.tif 000006
【図５】
2018016942.tif 000007
【図６】
2018016942.tif 000008
【図７】
2018016942.tif 000009
【図８】
2018016942.tif 000010
【図９】
2018016942.tif 000011
【図１０】
2018016942.tif 000012
【図１１】
2018016942.tif 000013
【図１２】
2018016942.tif 000014
【図１３】
2018016942.tif 000015
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
ウェブが上下方向に延在し、前記ウェブの上部に上部フランジ、前記ウェブの下部に下部フランジが形成されて水平方向に延在するＨ形鋼梁に、天井母屋部材が母屋固定装置を介して固定され、前記天井母屋部材の下面に、水平方向に敷設された複数の天井材の端部が天井支持装置を介して支持されてなる建物の天井構造であって、
前記母屋固定装置は、前記下部フランジをフランジ上面側及びフランジ下面側から挟持することで前記Ｈ形鋼梁に前記天井母屋部材を固定する挟持部を備えているとともに、
前記天井支持装置は、水平方向に隣接している２枚の天井材の端部同士の上面が当接する押え部材と、前記天井母屋部材に着脱自在に連結されて前記２枚の前記天井材の前記端部同士の下面を受ける保持部材と、を備え、
前記母屋固定装置の前記挟持部は、
前記天井母屋部材に固定されて前記下部フランジの前記フランジ下面に当接する第１挟持部材と、
前記第１挟持部材に連結され、前記下部フランジの前記ウェブを挟んで一方側のフランジ上面及び他方側のフランジ上面に対面する辺部を備えている一対の第２挟持部材と、
前記一対の第２挟持部材のそれぞれの前記辺部に上部から貫通してねじ込まれ、ボルト頭部が前記一方側のフランジ上面及び他方側のフランジ上面を押圧している挟持ボルトと、を備えていることを特徴とする建物の天井構造。
【請求項２】
前記天井支持装置の前記保持部材は、
前記天井母屋部材の前記下面に固定され、互いに平行に下方に延在している一対の連結片を設けた上部保持部材と、
前記天井材の前記端部の前記下面を受けながら前記一対の連結片に着脱自在に連結する下部保持部材と、を備え、
前記上部保持部材は、前記一対の連結片の互いに対向する面に係合凹凸部が形成されており、
前記下部保持部材は、前記天井材の前記端部の前記下面を受ける受け板部から平行に上方に立ち上がっている一対の弾性変形連結片が、前記上部保持部材の前記一対の連結片の間に弾性変形した状態で挿入され、弾性復帰することで前記係合凹凸部に係合することを特徴とする請求項１記載の建物の天井構造。
【請求項３】
ウェブが上下方向に延在し、前記ウェブの上部に上部フランジ、前記ウェブの下部に下部フランジが形成されて水平方向に延在するＨ形鋼梁に、母屋固定装置を使用して天井母屋部材を固定し、前記天井母屋部材の下面に、水平方向に敷設された複数の天井材の端部を、天井支持装置を使用して支持する建物の天井施工方法であって、
前記母屋固定装置の挟持部で前記下部フランジをフランジ上面側及びフランジ下面側から挟持することで、前記Ｈ形鋼梁に前記天井母屋部材を固定する工程を行い、
前記天井母屋部材の下面に固定されている前記天井支持装置の押え部材に、水平方向に隣接している２枚の天井材の端部同士の上面を当接させ、前記天井母屋部材の下面に固定される保持部材で前記２枚の前記天井材の前記端部同士の下面を受ける工程を行うとともに、
前記母屋固定装置を使用して前記Ｈ形鋼梁に前記天井母屋部材を固定する工程では、
前記天井母屋部材に固定した第１挟持部材を前記下部フランジの前記フランジ下面に当接し、
前記第１挟持部材に連結した一対の第２挟持部材の辺部を、前記下部フランジの前記ウェブを挟んで一方側のフランジ上面及び他方側のフランジ上面に対面させ、
前記一対の第２挟持部材のそれぞれの前記辺部に上部から貫通してねじ込んだ挟持ボルトのボルト頭部で、前記一方側のフランジ上面及び他方側のフランジ上面に押圧することを特徴とする建物の天井施工方法。
【請求項４】
前記挟持ボルトのボルト頭部が前記一方側のフランジ上面及び前記他方側のフランジ上面を押圧する前に、前記一対の第２挟持部材の前記辺部を、前記下部フランジの前記一方側のフランジ上面及び前記他方側のフランジ上面に係合させておくことで、前記天井母屋部材を前記Ｈ形鋼梁に仮固定しておくことを特徴とする請求項３記載の建物の天井施工方法。
【請求項５】
前記天井支持装置を使用して前記天井母屋部材の下面に、水平方向に隣接している前記２枚の前記天井材の前記端部同士を支持する工程では、
前記天井支持装置として上部保持部材及び下部保持部材を使用し、
前記上部保持部材は、前記天井母屋部材の前記下面に固定されて互いに平行に下方に延在し、互いに対向する面に係合凹凸部が形成されている一対の連結片を設けており、
前記下部保持部材は、受け板部から平行に上方に立ち上がる一対の弾性変形連結片を備えており、
前記下部保持部材の前記一対の弾性変形連結片を、前記上部保持部材の前記一対の連結片の間に弾性変形した状態で挿入し、弾性復帰させることで前記係合凹凸部に係合することを特徴とする請求項３又は４記載の建物の天井施工方法。
【手続補正２】
【補正対象書類名】明細書
【補正対象項目名】０００７
【補正方法】変更
【補正の内容】
【０００７】
上記目的を達成するために、本発明の一態様に係る建物の天井構造は、ウェブが上下方向に延在し、ウェブの上部に上部フランジ、ウェブの下部に下部フランジが形成されて水平方向に延在するＨ形鋼梁に、天井母屋部材が母屋固定装置を介して固定され、天井母屋部材の下面に、水平方向に敷設された複数の天井材の端部が天井支持装置を介して支持されてなる建物の天井構造であって、母屋固定装置は、下部フランジをフランジ上面側及びフランジ下面側から挟持することでＨ形鋼梁に天井母屋部材を固定する挟持部を備えているとともに、天井支持装置は、水平方向に隣接している２枚の天井材の端部同士の上面が当接する押え部材と、天井母屋部材に着脱自在に連結されて２枚の前記天井材の前記端部同士の下面を受ける保持部材と、を備え、母屋固定装置の挟持部は、天井母屋部材に固定されて下部フランジのフランジ下面に当接する第１挟持部材と、第１挟持部材に連結され、下部フランジのウェブを挟んで一方側のフランジ上面及び他方側のフランジ上面に対面する辺部を備えている一対の第２挟持部材と、一対の第２挟持部材のそれぞれの辺部に上部から貫通してねじ込まれ、ボルト頭部が一方側のフランジ上面及び他方側のフランジ上面を押圧している挟持ボルトと、を備えている。
【手続補正３】
【補正対象書類名】明細書
【補正対象項目名】０００８
【補正方法】変更
【補正の内容】
【０００８】
また、本発明の一態様に係る建物の天井施工方法は、ウェブが上下方向に延在し、ウェブの上部に上部フランジ、ウェブの下部に下部フランジが形成されて水平方向に延在するＨ形鋼梁に、母屋固定装置を使用して天井母屋部材を固定し、天井母屋部材の下面に、水平方向に敷設された複数の天井材の端部を、天井支持装置を使用して支持する建物の天井施工方法であって、母屋固定装置の挟持部で前記下部フランジをフランジ上面側及びフランジ下面側から挟持することで、前記Ｈ形鋼梁に前記天井母屋部材を固定する工程を行い、天井母屋部材の下面に固定されている天井支持装置の押え部材に、水平方向に隣接している２枚の天井材の端部同士の上面を当接させ、天井母屋部材の下面に固定される保持部材で２枚の前記天井材の端部同士の下面を受ける工程を行うとともに、母屋固定装置を使用してＨ形鋼梁に天井母屋部材を固定する工程では、天井母屋部材に固定した第１挟持部材を下部フランジの前記フランジ下面に当接し、第１挟持部材に連結した一対の第２挟持部材の辺部を、下部フランジのウェブを挟んで一方側のフランジ上面及び他方側のフランジ上面に対面させ、一対の第２挟持部材のそれぞれの辺部に上部から貫通してねじ込んだ挟持ボルトのボルト頭部で、一方側のフランジ上面及び他方側のフランジ上面に押圧するようにした。